(57)【要約】【課題】実際の監視制御盤での運転操作に近い感覚で運転操作を行える運転操作装置を提供することである。【解決手段】中央操作室に設置された監視制御盤全体をイメージできる監視制御盤の全体画像１８、個々の個別盤の個別盤画像１９、各々の個別盤の一部分を構成する個々のパネルのパネル画像２０を、入力装置１７からの選択により表示制御手段１２は表示装置１６に階層的に表示する。全体画像１８には、プラントまたはシミュレータの状態信号に対応して警報窓画像２２を併せて表示し、パネル画像２０中の要素画像２１にはプラントまたはシミュレータの状態信号を対応させて表示する。そして、運転員はパネル画像中の操作器（要素画像）を入力装置１７により操作して、プラントまたはシミュレータに操作指令を出力する。【選択図】　図１
2004139234.tif 000002
【特許請求の範囲】
【請求項１】
中央操作室に設置された監視制御盤全体をイメージできる監視制御盤の全体画像と、前記監視制御盤の盤面の上部に設置されプラントまたはシミュレータの状態信号に対応して警報状態を表示する警報窓の警報窓画像と、前記監視制御盤の盤面に取り付けられる操作器を含む要素部品の要素画像と、前記監視制御盤の一部分を構成する個々の個別盤の個別盤画像と、各々の個別盤の一部分を構成する個々のパネルのパネル画像とを予め記憶した画像記憶部を備え、前記画像記憶部に記憶された前記全体画像、前記個別盤画像、前記パネル画像を階層的に選択する入力装置と、前記入力装置で少なくとも前記全体画像が選択されたときは前記警報窓画像を併せて取り出し、前記パネル画像が選択されたときは前記パネル画像中の要素画像にプラントまたはシミュレータの状態信号を対応させて取り出す表示制御手段と、前記表示制御手段で取り出された画像を表示する表示装置とを備えたことを特徴とする運転操作装置。
【請求項２】
前記表示制御手段は、前記パネル画像中の要素画像が操作器である場合に、その操作器が前記入力装置により操作されたときは、プラントまたはシミュレータに操作指令を出力することを特徴とする請求項１記載の運転操作装置。
【請求項３】
前記表示制御手段は、プラントまたはシミュレータの状態信号を対応させて表示する前記要素画像が操作器である場合は操作状態を示すランプの点消灯を、前記要素画像が計器である場合にはプロセス値の指針または数値を併せて前記表示装置に表示することを特徴とする請求項１に記載の運転操作装置。
【請求項４】
前記表示制御手段は、前記個別盤画像にはその個別盤が前記監視制御盤のどの部分に該当するかを示す監視制御盤縮小図を併せて表示し、前記パネル画像にはそのパネルが前記個別盤のどの部分に該当するかを示す個別盤縮小図を併せて表示することを特徴とする請求項１記載の運転操作装置。
【請求項５】
前記表示制御手段は、前記監視制御盤縮小図上で前記個別盤が前記入力装置で選択されたときは、選択された個別盤画像を前記表示装置に表示し、前記個別盤縮小図上で前記パネルが前記入力装置で選択されたときは、選択されたパネル画像を前記表示装置に表示することを特徴とする請求項４記載の運転操作装置。
【請求項６】
前記表示制御手段は、全体画像および個別盤画像を入力装置から直接選択するための画像選択メニューを前記表示装置に常時表示することを特徴とする請求項１記載の運転操作装置。
【請求項７】
前記表示制御手段は、前記画像記憶部に記憶された前記全体画像、前記個別盤画像、前記パネル画像をマルチウインドウ方式で表示装置に表示することを特徴とする請求項１記載の運転操作装置。
【請求項８】
前記表示制御手段は、前記全体画像上で隣接した複数の個別盤の重複位置が前記入力装置により選択されたときは、選択された重複位置範囲の個別盤画像を前記表示装置に表示し、前記個別盤画像上で隣接した複数のパネルの重複位置が前記入力装置により選択されたときは、選択された重複位置範囲のパネル画像を前記表示装置に表示することを特徴とする請求項１記載の運転操作装置。
【請求項９】
中央操作室に設置された監視制御盤全体をイメージできる監視制御盤の全体画像と、前記監視制御盤の盤面上部に設置されプラントまたはシミュレータの状態信号に対応して警報状態を表示する警報窓の警報窓画像と、前記監視制御盤の盤面に取り付けられる操作器を含む要素部品の要素画像と、前記監視制御盤の一部分を構成する個々の個別盤の個別盤画像とを予め記憶した画像記憶部を備え、前記画像記憶部に記憶された前記全体画像と前記個別盤画像とを階層的に選択する入力装置と、前記入力装置で少なくとも前記全体画像が選択されたときは前記警報窓画像を併せて取り出し、前記個別盤画像が選択されたときは前記個別盤画像中の要素画像にプラントまたはシミュレータの状態信号を対応させて取り出す表示制御手段と、前記表示制御手段で取り出された画像を表示する表示装置とを備えたことを特徴とする運転操作装置。
【請求項１０】
前記表示制御手段は、前記個別画像中の要素画像が操作器である場合に、その操作器が前記入力装置により操作されたときは、プラントまたはシミュレータに操作指令を出力することを特徴とする請求項１記載の運転操作装置。
【発明の詳細な説明】
【０００１】
【発明の属する技術分野】
本発明は、実プラントや運転訓練シミュレータの運転操作に使用される運転操作装置に関する。
【０００２】
【従来の技術】
プラントの運転操作は、中央制御室に配置された監視制御盤や計算機を用いた監視制御装置にて行われる。監視制御盤には、警報窓（アナンシェータ）、各種計器類や表示器、さらには各種操作器が設置されており、運転員は警報窓の警報状態表示により該当の計器や表示器を監視し、該当の操作器により必要な操作を行う。また、計算機を用いた監視制御装置では、ＣＲＴ表示装置や大型スクリーンディスプレイ装置等の表示装置に運転操作に必要な表示画面を表示し、表示装置に付随したマウスやタッチスクリーン等の入力装置を使用して計算機に操作指令を入力しプラントの運転操作を行う。
【０００３】
一方、プラントの運転訓練シミュレータに対する運転操作には、計算機を用いた監視制御装置が使用され、実機の監視制御盤に代えて、表示装置に監視制御盤の写真を表示し監視制御盤による運転操作をイメージできるようにしたもの（例えば、特許文献１、２参照）や、さらには、運転訓練シミュレータに対する運転操作だけでなく、実プラントに対して運転操作するようにしたものもある（例えば、特許文献３、４参照）。
【０００４】
【特許文献１】
特開平７−３６３５９号公報
【０００５】
【特許文献２】
特開２０００−９９１２９号公報
【０００６】
【特許文献３】
特開平３−９６９８３号公報
【０００７】
【特許文献４】
特開昭６１−１０１８０７号公報
【０００８】
【発明が解決しようとする課題】
しかしながら、これらの計算機を用いた監視制御装置においては、既存の監視制御盤のイメージを出すために監視制御盤全体の写真を全体画面として表示し、さらに、監視制御盤の一部分を操作画面や監視画面に展開していくようにしているが、監視制御盤全体の写真の画面には、プラントの状態を表示していないので、運転員にとっては監視制御盤のイメージしか把握することができない。
【０００９】
従って、プラントの挙動を把握するには監視制御盤の一部分を操作画面や監視画面に展開して初めて把握することになるので、操作画面や監視画面の展開を誤るとプラント状態を早期に把握できないことになる。
【００１０】
本発明の目的は、実際の監視制御盤での運転操作に近い感覚で運転操作を行える運転操作装置を提供することである。
【００１１】
【課題を解決するための手段】
本発明の運転操作装置は、中央操作室に設置された監視制御盤全体をイメージできる監視制御盤の全体画像、監視制御盤の一部分を構成する個々の個別盤の個別盤画像、各々の個別盤の一部分を構成する個々のパネルのパネル画像を、入力装置からの選択により表示制御手段は表示装置に階層的に表示する。全体画像には、監視制御盤の盤面の上部に設置されるプラントまたはシミュレータの状態信号に対応して警報状態を表示する警報窓の警報窓画像を併せて表示し、パネル画像中の要素画像にはプラントまたはシミュレータの状態信号を対応させて表示する。そして、運転員はパネル画像中の操作器（要素画像）を入力装置により操作して、プラントまたはシミュレータに操作指令を出力する。また、パネル画像を省略した場合には、運転員は個別盤画像中の操作器（要素画像）を入力装置により操作して、プラントまたはシミュレータに操作指令を出力する。
【００１２】
【発明の実施の形態】
以下、本発明の実施の形態を説明する。図１は本発明の第１の実施の形態に係る運転操作装置のブロック構成図であり、プラントに適用した場合を示している。プラントからの各種信号はプラント信号入出力手段１１を介して入力され、表示制御手段１２の表示入力手段１３に入力される。一方、表示入力手段１３には画像記憶部１４に記憶された各種画像も入力され、表示制御手段１２の表示定義表記憶部１５に記憶された表示定義表に基づいて各種画像が表示装置１６に表示される。運転員は表示装置１６に表示された各種画像を見ながら入力装置１７からプラントへの操作指令を表示制御手段１２の表示入力手段１３を介して出力することになる。
【００１３】
画像記憶部１４には、中央操作室に設置された監視制御盤全体をイメージできる監視制御盤の全体画像１８と、監視制御盤の一部分を構成する個々の個別盤の個別盤画像１９と、各々の個別盤の一部分を構成する個々のパネルのパネル画像２０とが階層的に記憶され、また、監視制御盤の盤面に取り付けられる操作器、計器、表示器等の要素部品の要素画像２１が記憶され、さらには、監視制御盤の盤面の上部に設置されるプラントの状態信号に対応して警報状態を表示する警報窓の警報窓画像２２が記憶されている。
【００１４】
図２は、表示装置１６に表示された監視制御盤２３の全体画像１８の平面図である。例えば、発電プラントの中央操作室に設置される監視制御盤２３は複数個の個別盤２４から構成されている。個別盤２４としては、例えば、ＢＴＧ盤、ＢＴＧ盤補助盤、オペレータコンソール盤、電気盤等がある。
【００１５】
このような監視制御盤の全体画像１８は、中央操作室にて監視制御盤をデジタルカメラで立体的に撮影し、そのデジタル写真データに対して、例えばフォトレタッチソフトなどの画像データ処理ツールを用いて、歪みの補正や立体感、陰影、艶などを付加して作成される。これにより、形状や色彩も含めて監視制御盤を忠実に模擬し現実感を持たせるようにしている。
【００１６】
そして、この全体画像１８には警報窓画像２２を併せて表示するようにしている。警報窓画像２２は、立体的に現実感を持たせた全体画像１８とは異なり、平面形態で表示する。これは、警報窓に警報発生状況を表示させ、運転員に警報発生状況を適切に報知するためである。すなわち、警報窓２５は監視制御盤２３の上部に設置されるので、監視制御盤２３を立体的に表示した場合には警報窓２５は見え難く、警報窓２５の警報発生状況が分かり難くなるためである。このように、警報窓画像２２を平面形態で全体画像１８に合わせて表示し、警報窓の点灯のパターンから警報の原因を容易に認識できるようにしている。
【００１７】
図３は、個別盤２４を表示装置１６に表示した場合の個別盤画像１９の平面図である。個別盤画像１９も監視制御盤の全体画像１８と同様に、実際に存在する個別盤２４の写真を基に、形状や色彩を忠実に模擬し立体感を持たせるように加工した画像である。図３では、ＢＴＧ盤（右）という個別盤２４の盤面を平面形態で表示した場合を示している。すなわち、個別盤２４の盤面には、操作器、計器、表示器等の要素部品、さらには警報窓２５が配置される。そして、操作器や計器等の要素部品はプラント機器やプラントの系統別にまとめて配置され、個別盤画像１９は、これらの要素部品の識別や配置関係が一見して分かるように作成される。
【００１８】
図４は、表示装置１６に表示されたパネル画像２０の平面図である。個別盤２４の盤面は、操作器や計器等の要素部品がプラント機器やプラントの系統別にまとめて配置されるので、その一纏まりとなった要素部品毎に個別盤２４の盤面を区割りして便宜上パネル２６を形成している。パネル画像２０は、その個別盤２４の盤面を区割りしたパネル２６部分の画像である。
【００１９】
パネル画像２０は、まず、パネル２６に取り付けられる操作器や計器などの要素部品についての要素画像２１を作成し、その要素画像２１を組み合わせて作成される。要素画像２１は、各々の要素部品のデジタル写真を基に、形状や色彩を忠実に模擬し立体感を持たせて作成される。そして、これら要素画像を各パネル２６に組み込むことによりパネル画像２０を構成する。
【００２０】
次に、図５は表示制御手段１２の表示定義表記億部１５に記憶された表示定義表の説明図である。表示定義表は、全体画像１８、個別盤画像１９、パネル画像２０に対して、それぞれ用意されている。表示定義表１５Ａは全体画像１８から個別盤画像１９に展開する場合の定義表であり、全体画像１８のある画像位置を入力装置１７で選択することにより（選択領域）、どの個別盤画像１９に展開するか（盤番号、画像ファイル名）が定義づけられている。同様に、表示定義表１５Ｂは個別盤画像１９からパネル画像２０に展開する場合の定義表であり、表示定義表１５Ｃはパネル画像２０を構築する際の要素画像２１との関係を示す定義表である。このように、これら表示定義表１５Ａ、１５Ｂ、１５Ｃの階層構成の定義に従って、入力装置１７からの画像位置選択により、画像を表示装置１６に全体から詳細へ階層的に選択表示できるようになっている。
【００２１】
図６は、パネル画像２０中の要素画像２１にプラントの状態信号を対応して表示が変化する場合の表示定義表１５Ｃ１である。図５に示した表示定義表１５Ｃに対し、プラント信号ＩＤを定義すると共にそのプラント信号ＩＤの変化に対応した画像Ｑを定義している。例えば、プラント信号のＯＮ／ＯＦＦやプラント信号が規定値を超えたか否かにより、パネル画像２０を形成する各要素画像の画像ファイルとして、画像ファイルＰまたは画像ファイルＱのいずれかを選択し切り替える。
【００２２】
また、要素部品が計器（メーター）である場合には、プラント入出力手段１１より得られるプラント信号を割り当て、計器（メーター）の針を動かしたり、数値を表示する画像ファイルを選択する。さらに、表示されたパネル画像２０において、要素部品が操作器（スイッチ）である場合には、入力装置１７によりその操作器（スイッチ）の操作を行うと表示定義表１５Ｃ１により関連づけられたプラント出力信号（ＯＮ／ＯＦＦ）を発生させ、スイッチ操作を行うのと同じ動作を行うように定義しておく。この場合、操作状態を表示するためのランプの点消灯をプラント出力信号（ＯＮ／ＯＦＦ）に対応させて変化させる。このようにプラントの状態信号の変化に対応してパネル画像２０中の要素画像２１の表示が変化する場合には、画像ファイルの切替えにより要素画像２１を変化させる。
【００２３】
次に、第１の実施の形態における運転操作装置の動作を説明する。まず、運転員は入力装置１７より監視制御対象の監視制御盤の全体画像１８を指定入力する。表示制御手段１２の表示入力手段１３は、指定された全体画像１８を画像記憶部１４から取り出し表示装置１６に表示する。この場合、全体画像１８には警報窓画像２２が併せて表示される。これにより、表示装置１６には、図２に示すような画像が表示される。
【００２４】
図２に示すように、全体画像１８は、中央操作室に配置された監視制御盤を形状や色彩も含めて忠実に表した画像であるので、運転員は中央操作室の雰囲気をそのまま認識でき、実際の中央操作室の中に居る感覚を感じ取ることができる。また、全体画像１８の下部には警報窓画像２２が表示され、この警報窓画像２２にはプラントの状態信号に対応して警報状態が表示されるので、監視制御盤を正面から見た場合の警報窓２５の雰囲気を感じ取ることができる。つまり、プラントのどのプロセス信号が警報であるのか即座に認識できる。
【００２５】
運転員は、警報窓画像２２により警報状態のプロセス信号を認識すると、その警報に対する対応操作を行うべく、その警報に対応する計器や操作器が配置された個別盤を入力装置１７から指定して選択する。運転員の個別盤画像選択指令は、表示制御手段１２の表示入力手段１３に入力され、表示入力手段１３は運転員により指定された個別盤画像１９を画像記憶部１４から取り出し表示装置１６に表示する。これにより、表示装置１６には、図３に示すような個別盤画像１９が表示される。運転員は個別盤画像１９により、実際の個別盤２４に前面に進み出た雰囲気を感じ取ることができる。
【００２６】
次に、個別盤２４の前面から警報状態となったプロセス信号に対応する計器や操作器が位置するパネル２６を入力装置１７から指定して選択する。運転員のパネル画像選択指令は、表示制御手段１２の表示入力手段１３に入力され、表示入力手段１３は運転員により指定されたパネル画像２０を画像記憶部１４から取り出し表示装置１６に表示する。これにより、表示装置１６には、図４に示すようなパネル画像２０が表示され、運転員はこのパネル画像２０により、実際のパネル２６の前面で運転操作をする雰囲気を感じ取ることができる。
【００２７】
パネル画像２０は、パネル２６に取り付けられる操作器や計器などの要素部品についての要素画像２１を組み合わせて作成され、要素画像２１は、各々の要素部品のデジタル写真を基に、形状や色彩を忠実に模擬し立体感を持たせて作成されている。また、要素部品が計器（メーター）である場合には、プラント入出力手段１１より得られるプラント信号が割り当てられ、計器（メーター）の針を動かしたり数値を表示し、一方、要素部品が操作器（スイッチ）である場合には、入力装置１７によりその操作器（スイッチ）の操作を行うことが可能となっている。例えば、操作器を操作すると、図６に示す表示定義表１５Ｃ１により定義づけられたプラント出力信号（ＯＮ／ＯＦＦ）が発生し、スイッチ操作を行うのと同じ動作を行うことが可能となっている。従って、運転員は実際の操作器や計器の雰囲気で運転操作を行うことができる。
【００２８】
第１の実施の形態によれば、中央操作室に配置される実際の監視制御盤の全体画像と共に警報窓画像を表示するので、全体画像でプラントの警報状態を把握でき、その際の対応操作を取るにあたっては個別盤画像を表示し、さらにパネル画像を表示して操作器や計器を認識できるようにしているので、実際の監視制御盤で操作する感覚でプラントを運転操作できる。
【００２９】
以上の説明ではプラントに適用した場合について説明したが、シミュレータに適用した場合にも同様に使用できる。また、全体画像１８、個別盤画像１９、パネル画像２０へと画像を展開していき、３階層目のパネル画像２０で操作器を操作するようにしたが、パネル画像２０を省略し、２階層目の個別盤画像１９で操作器を操作できるようにしても良い。この場合には、個別盤画像１９を大きく表示できる大型ディスプレイ装置を用いるか、プラントの規模が比較的小さい場合に適用できる。
【００３０】
次に、本発明の第２の実施の形態を説明する。図７は本発明の第２の実施の形態に係る運転操作装置のブロック構成図である。この第２の実施の形態は、図１に示した第１の実施の形態に対し、レイアウト表示手段２７および縮小図上選択手段２８を追加して設けたものである。レイアウト表示手段２７は、個別盤画像１９には監視制御盤縮小図を併せて表示し、パネル画像２０には個別盤縮小図を併せて表示するものであり、縮小図上選択手段２８は、監視制御盤縮小図上または個別盤縮小図上で、個別盤２４またはパネル２６が入力装置１７で選択されたときは、選択された個別盤画像１９またはパネル画像２０を表示装置１７に表示するものである。図１に示した同一要素には同一符号を付し重複する説明は省略する。
【００３１】
図７において、レイアウト表示手段２７は、中央操作室の個々の個別盤２４を表示する個別盤画像１９については、その上位階層画像である操作室全体を表示する全体画像１８の縮小図を個別盤画像上に表示する。また、各個別盤２４を構成するパネル２６を表示するパネル画像２０については、その上位階層画像である中央操作室の個々の個別盤２４を表示する個別盤画像１９の縮小図を個別盤画像１９上に表示する。
【００３２】
図８は、レイアウト表示手段２７により個別盤画像縮小図２９が表示されたパネル画像２０の平面図である。図８（ａ）、図８（ｂ）に示すように、個別盤画像縮小図２９は個別盤２４の盤面を縮小した図であり、個別盤２４の盤面で当該パネル２４がどの位置であるかを表示している。図８（ａ）では、当該パネル２６は当該個別盤２４の盤面で下２段目の左４番目の位置にあることを示しており、図８（ｂ）では、当該パネル２６は当該個別盤２４の盤面で下２段目の左１番目の位置にあることを示している。
【００３３】
縮小図上選択手段２８は、入力装置１７からの運転員の指示に基づき、個別盤縮小図２９上で指定された位置のパネル画像２６を表示する。いま、運転員が図８（ａ）の個別盤画像縮小図２９上の下２段目左１番目の位置を入力装置１７で指示したとする。そうすると、縮小図上選択手段２８は図８（ｂ）に示すようにその位置のパネル画像２６を表示装置１６に表示する。
【００３４】
以上の説明では、パネル画像２０に個別盤画像縮小図２９を表示した場合について説明したが、個別盤画像１９に監視制御盤の全体画像縮小図を表示して別の個別盤画像を表示する場合も同様である。
【００３５】
第２の実施の形態によれば、表示している個別盤画像またはパネル画像から別の個別盤画像またはパネル画像を容易に選択表示できるので、別の個別盤またはパネルに容易に移動して操作するのと同等の感覚で運転操作できる。
【００３６】
次に、本発明の第３の実施の形態を説明する。図９は、本発明の第３の実施の形態に係る画面選択メニュー３０の平面図である。画像選択メニュー３０は、全体画像および個別盤画像を入力装置１７から直接選択するための画像であり、表示装置１６の画面に常時表示する。図９に示すように、画面選択メニュー３０は全体画像および各々の個別盤画像を選択するためのボタンから構成されている。この画面選択メニューは表示装置１７の表示画面に常時表示されており、運転員はこの画面選択メニュー３０中のボタンを入力装置１７で指定することにより、全体画像または各々の個別盤画像を選択し表示することになる。
【００３７】
図１０は、第３の実施の形態における画像遷移の説明図である。画像記憶部１４に記録保持された中央操作室に設置される監視制御盤の全体画像１８、個別盤画像１９、パネル画像２１は、全体画像１８→個別盤画像１９群→パネル画像２０群の順番で階層的に選択表示される。この場合、全体画像１８から個別盤画像１９への展開は、全体画像１８中で個別盤を選択して展開する場合と、画像選択メニュー３０から該当の個別盤を選択して展開する場合とがある。
【００３８】
画像選択メニュー３０は前述の階層的選択表示における先頭部である中央操作室の全体画像１８を表示させるだけでなく、中央操作室に設置される個々の個別盤画像１９群も直接選択表示する機能を持つ。また、この画像選択メニュー３０は表示装置１６の画面上の１部分に常時表示されており、常に入力装置１７から表示すべき画像を選択できるようになっている。このように監視制御盤を全体から詳細に至るまで階層的に選択表示する以外に、画像選択メニュー３０を設け個別盤画像１９群も直接選択表示できるので、ある個別盤での監視や操作が完了し次の個別盤に移るのと同感覚で個別盤画像を選択できる。
【００３９】
第３の実施の形態によれば、ある個別盤での監視や操作が完了し、次の個別盤に移るのと同感覚で個別盤画像１９の選択が行えるので、プラント事故時の対応操作のような複数の個別盤間を往来し対応操作するパターンであっても、運転員に対して実際の個別盤間を移動するのと同じ感覚で画像選択ができる。これにより、画像化された運転操作装置であっても個別盤画像の表示をスムーズにすることができる。
【００４０】
次に、本発明の第４の実施の形態を説明する。図１１は本発明の第４の実施の形態に係る運転操作装置のブロック構成図である。この第４の実施の形態は、図１に示した第１の実施の形態に対し、マルチウインドウ表示手段３１を追加して設けたものである。マルチウインドウ表示手段３１は、画像記憶部１４に記憶された全体画像１８、個別盤画像１９、パネル画像２０をマルチウインドウ方式で表示装置１６に表示するものである。図１に示した同一要素には同一符号を付し重複する説明は省略する。
【００４１】
マルチウインドウ表示手段３１は、複数の画像を同時に表示装置１６上に表示する。そのために、入力装置１７より表示要求を受け付けた複数の画像の表示装置１６上での表示位置データを保持する。入力装置１７により、アクティブにされた画像を表示位置データから判定してその画像を再表示することにより、最前面に表示する。
【００４２】
また、個別盤画像１９とその個別盤を構成するパネル画像２０とを同時表示する場合は、図１２（ａ）に示すように、パネル画像２０の表示位置を個別盤画像１９の前面に表示する。また、図１２（ｂ）に示すように、選択されたパネル画像２０が個別盤画像１９上での該当部分２０’に重ならないように表示する。
【００４３】
第４の実施の形態によれば、全体画像１８、個別盤画像１９、パネル画像２０をマルチウインドウ方式で表示装置１６に表示できるので、画像の切り換え表示をスムーズにすることができる。
【００４４】
次に本発明の第５の実施の形態を説明する。図１３は本発明の第５の実施の形態に係る運転操作装置のブロック構成図である。この第５の実施の形態は、図１に示した第１の実施の形態に対し、重畳表示手段３２を追加して設けたものである。図１に示した同一要素には同一符号を付し重複する説明は省略する。
【００４５】
重畳表示手段３２は、図１４に示すように、隣接する複数の画像Ｎ１〜Ｎ４を組合せて同時に表示するものであり、入力装置１７より表示要求された互いに隣接する画像Ｎ１〜Ｎ４の表示位置データを保持し、重複位置範囲Ｎｎ＋１の画像を表示装置１６に表示する。例えば、全体画像上で隣接した複数の個別盤の重複位置が入力装置１７により選択されたときは、選択された重複位置範囲の個別盤画像１９を表示装置１６に表示する。また、個別盤画像上で隣接した複数のパネルの重複位置が入力装置１７により選択されたときは、選択された重複位置範囲のパネル画像２０を表示装置１６に表示する。この場合、第２の実施の形態のように、縮小図を表示する場合には、その縮小図上に重複位置範囲Ｎｎ＋１を表示する。
【００４６】
第５の実施の形態によれば、通常の個別盤画像１９やパネル画像２０の端部に位置する部分を中心にして、新たに個別盤画像１９やパネル画像２０を表示できるので、隣接する画像の境界部分であっても分かり易く表示することができる。
【００４７】
【発明の効果】
以上説明したように、本発明によれば、ＣＲＴ表示装置や大型ディスプレイ装置等の表示装置を用いて、監視制御盤を用いたのと同様にプラントの状態把握や操作を行うことができる。
【図面の簡単な説明】
【図１】本発明の第１の実施の形態に係る運転操作装置のブロック構成図。
【図２】本発明の第１の実施の形態における表示装置に表示された監視制御盤の全体画像の平面図。
【図３】本発明の第１の実施の形態における表示装置に表示された個別盤画像の平面図。
【図４】本発明の第１の実施の形態における表示装置に表示されたパネル画像の平面図。
【図５】本発明の第１の実施の形態おける表示制御手段の表示定義表記億部に記憶された表示定義表の説明図。
【図６】本発明の第１の実施の形態におけるパネル画像中の要素画像にプラントの状態信号を対応して表示が変化する場合の表示定義表の説明図。
【図７】本発明の第２の実施の形態に係る運転操作装置のブロック構成図。
【図８】本発明の第２の実施の形態におけるレイアウト表示手段により個別盤画像縮小図が表示されたパネル画像２０の平面図。
【図９】本発明の第３の実施の形態に係る画面選択メニューの平面図。
【図１０】本発明の第３の実施の形態における画像遷移の説明図。
【図１１】本発明の第４の実施の形態に係る運転操作装置のブロック構成図。
【図１２】本発明の第４の実施の形態におけるマルチウインドウ画面の説明図。
【図１３】本発明の第５の実施の形態に係る運転操作装置のブロック構成図。
【図１４】本発明の第５の実施の形態における画像選択の説明図。
【符号の説明】
１１…プラント信号入出力手段、１２…表示制御手段、１３…表示入力手段、１４…画像記憶部、１５…表示定義表記億部、１６…表示装置、１７…入力装置、１８…全体画像、１９…個別盤画像、２０…パネル画像、２１…要素画像、２２…警報窓画像、２３…監視制御盤、２４…個別盤、２５…警報窓、２６…パネル、２７…レイアウト表示手段、２８…縮小図上選択手段、２９…個別盤画像縮小図、３０…画面選択メニュー、３１…マルチウインドウ表示手段、３２…重畳表示手段
【図１】
2004139234.tif 000003
【図２】
2004139234.tif 000004
【図３】
2004139234.tif 000005
【図４】
2004139234.tif 000006
【図５】
2004139234.tif 000007
【図６】
2004139234.tif 000008
【図７】
2004139234.tif 000009
【図８】
2004139234.tif 000010
【図９】
2004139234.tif 000011
【図１０】
2004139234.tif 000012
【図１１】
2004139234.tif 000013
【図１２】
2004139234.tif 000014
【図１３】
2004139234.tif 000015
【図１４】
2004139234.tif 000016